(57)【要約】【課題】光ディスク再生装置において、簡単な操作で、スクリーンセーバ用画像の大きさや、背景色や、動きを任意に変更することを可能にして、真にオリジナルなスクリーンセーバ用画像を容易に作成することができるようにする。【解決手段】ＤＶＤから、スクリーンセーバ用画像の元データと、スクリーンセーバ用画像の背景色、動き、及び大きさのパラメタを格納したテキストファイルの内容とを読み取って（Ｓ５）、このスクリーンセーバ用画像の元データとテキストファイル内のパラメタの値とに基づいて、オリジナルなスクリーンセーバ用画像を編集するようにした（Ｓ６）。【選択図】図２
2005341169.tif 000002
【特許請求の範囲】
【請求項１】
光ディスクの記録領域内に記録された映像、音声等の圧縮データを読み取るデータ読取手段と、
前記データ読取手段により読み取られた映像と音声の圧縮データをデコードして映像信号と音声信号とを再生するデコーダと、
前記デコーダにより再生された映像信号と音声信号とを出力する出力手段と、
装置のモードを、前記デコーダにより再生された映像信号と音声信号とを前記出力手段によりそのまま出力する通常モードから、スクリーンセーバ用画像の作成モードに切り換えるためのモード切換手段と、
前記スクリーンセーバ用画像の作成モード時に、前記データ読取手段により読み取られた映像に基づいて、オリジナルなスクリーンセーバ用画像を編集するスクリーンセーバ用画像編集手段と、
前記スクリーンセーバ用画像編集手段により編集されたオリジナルなスクリーンセーバ用画像を記憶する記憶手段と、
前記データ読取手段、前記デコーダ、前記スクリーンセーバ用画像編集手段、及び前記記憶手段を制御する制御手段と、
前記制御手段に対して再生、停止、トレイのオープン・クローズ等の指示を与えるための操作手段とを備え、
前記制御手段は、前記データ読取手段及び前記デコーダによって、光ディスクの記録領域内に記録された映像の圧縮データに基づく映像信号の再生が行われていない状態で、前記操作手段による操作が一定時間以上行われないと、前記記憶手段からスクリーンセーバ用画像を読み込んで、このスクリーンセーバ用画像を前記出力手段により出力する光ディスク再生装置において、
前記スクリーンセーバ用画像編集手段は、光ディスクから、スクリーンセーバ用画像の元データと、スクリーンセーバ用画像の背景色、動き、及び大きさのパラメタを格納したテキストファイルの内容とを前記データ読取手段により読み取って、このスクリーンセーバ用画像の元データとテキストファイル内のパラメタの値とに基づいて、オリジナルなスクリーンセーバ用画像を編集するようにしたことを特徴とする光ディスク再生装置。
【請求項２】
光ディスクの記録領域内に記録された映像、音声等の圧縮データを読み取るデータ読取手段と、
前記データ読取手段により読み取られた映像と音声の圧縮データをデコードして映像信号と音声信号とを再生するデコーダと、
前記デコーダにより再生された映像信号と音声信号とを出力する出力手段と、
前記データ読取手段により読み取られた映像に基づいて、オリジナルなスクリーンセーバ用画像を編集するスクリーンセーバ用画像編集手段と、
前記スクリーンセーバ用画像編集手段により編集されたオリジナルなスクリーンセーバ用画像を記憶する記憶手段と、
前記データ読取手段、前記デコーダ、前記スクリーンセーバ用画像編集手段、及び前記記憶手段を制御する制御手段と、
前記制御手段に対して再生、停止、トレイのオープン・クローズ等の指示を与えるための操作手段とを備え、
前記制御手段は、前記データ読取手段及び前記デコーダによって、光ディスクの記録領域内に記録された映像の圧縮データに基づく映像信号の再生が行われていない状態で、前記操作手段による操作が一定時間以上行われないと、前記記憶手段からスクリーンセーバ用画像を読み込んで、このスクリーンセーバ用画像を前記出力手段により出力する光ディスク再生装置において、
前記スクリーンセーバ用画像編集手段は、光ディスクから、スクリーンセーバ用画像の元データと、画像編集用のパラメタを格納したテキストファイルの内容とを前記データ読取手段により読み取って、このスクリーンセーバ用画像の元データと画像編集用のパラメタの値とに基づいて、オリジナルなスクリーンセーバ用画像を編集するようにしたことを特徴とする光ディスク再生装置。
【請求項３】
前記画像編集用のパラメタは、スクリーンセーバ用画像の背景色、動き、及び大きさのパラメタであることを特徴とする請求項２に記載の光ディスク再生装置。
【発明の詳細な説明】
【技術分野】
【０００１】
本発明は、光ディスクの記録領域内に記録された映像、音声等の圧縮データに基づいて、映像信号や音声信号を再生する光ディスク再生装置に関する。
【背景技術】
【０００２】
従来の光ディスク再生装置は、光ディスクの記録領域内に記録された映像の圧縮データに基づく映像信号の再生が行われていない状態で、操作が一定時間以上行われないと、テレビの画面保護のために、スクリーンセーバ用画像をテレビに出力する。ところが、従来の光ディスク再生装置は、スクリーンセーバ用画像として予めＤＶＤに記憶されたデフォルトの画像しか用いることができないので、パソコンのように、任意のスクリーンセーバ用画像をモニタに出力することができないという問題があった。
【０００３】
そこで、この種の装置において、光ディスク等から読み込んだ画像を外部記憶装置等に記憶しておいて、この画像をスクリーンセーバ用画像として用いるようにした光ディスク再生装置が知られている（例えば、特許文献１参照）。また、この種の装置において、再生中の画像と、ユーザにより入力されたオンスクリーンデータに基づいて、オリジナルなスクリーンセーバ用画像等の画像を作成することができるようにしたものが知られている（例えば、特許文献２参照）。
【０００４】
しかしながら、上記特許文献１に示される光ディスク再生装置では、スクリーンセーバ用画像の大きさや、背景色や、動きを変えて、真にオリジナルなスクリーンセーバ用画像を作成するためには、ユーザがパソコン側でマウス等を用いた複雑な処理を行ってスクリーンセーバ用画像を編集しなければならない。また、上記特許文献２に示される光ディスク再生装置では、ユーザが、スクリーンセーバ用画像の大きさや、背景色や、動きを任意に変更することができないため、真にオリジナルなスクリーンセーバ用画像を作成することができない。
【特許文献１】特開２００１−２８５８０４号公報
【特許文献２】登録実用新案第３０７３２７２号公報
【発明の開示】
【発明が解決しようとする課題】
【０００５】
本発明は、上記の問題を解決するためになされたものであり、簡単な操作で、スクリーンセーバ用画像の大きさや、背景色や、動きを任意に変更することができるようにして、真にオリジナルなスクリーンセーバ用画像を容易に作成することが可能な光ディスク再生装置を提供することを目的とする。
【課題を解決するための手段】
【０００６】
上記目的を達成するために請求項１の発明は、光ディスクの記録領域内に記録された映像、音声等の圧縮データを読み取るデータ読取手段と、データ読取手段により読み取られた映像と音声の圧縮データをデコードして映像信号と音声信号とを再生するデコーダと、デコーダにより再生された映像信号と音声信号とを出力する出力手段と、装置のモードを、デコーダにより再生された映像信号と音声信号とを出力手段によりそのまま出力する通常モードから、スクリーンセーバ用画像の作成モードに切り換えるためのモード切換手段と、スクリーンセーバ用画像の作成モード時に、データ読取手段により読み取られた映像に基づいて、オリジナルなスクリーンセーバ用画像を編集するスクリーンセーバ用画像編集手段と、スクリーンセーバ用画像編集手段により編集されたオリジナルなスクリーンセーバ用画像を記憶する記憶手段と、データ読取手段、デコーダ、スクリーンセーバ用画像編集手段、及び記憶手段を制御する制御手段と、制御手段に対して再生、停止、トレイのオープン・クローズ等の指示を与えるための操作手段とを備え、制御手段は、データ読取手段及びデコーダによって、光ディスクの記録領域内に記録された映像の圧縮データに基づく映像信号の再生が行われていない状態で、操作手段による操作が一定時間以上行われないと、記憶手段からスクリーンセーバ用画像を読み込んで、このスクリーンセーバ用画像を出力手段により出力する光ディスク再生装置において、スクリーンセーバ用画像編集手段は、光ディスクから、スクリーンセーバ用画像の元データと、スクリーンセーバ用画像の背景色、動き、及び大きさのパラメタを格納したテキストファイルの内容とをデータ読取手段により読み取って、このスクリーンセーバ用画像の元データとテキストファイル内のパラメタの値とに基づいて、オリジナルなスクリーンセーバ用画像を編集するようにしたものである。
【０００７】
請求項２の発明は、光ディスクの記録領域内に記録された映像、音声等の圧縮データを読み取るデータ読取手段と、データ読取手段により読み取られた映像と音声の圧縮データをデコードして映像信号と音声信号とを再生するデコーダと、デコーダにより再生された映像信号と音声信号とを出力する出力手段と、データ読取手段により読み取られた映像に基づいて、オリジナルなスクリーンセーバ用画像を編集するスクリーンセーバ用画像編集手段と、スクリーンセーバ用画像編集手段により編集されたオリジナルなスクリーンセーバ用画像を記憶する記憶手段と、データ読取手段、デコーダ、スクリーンセーバ用画像編集手段、及び記憶手段を制御する制御手段と、制御手段に対して再生、停止、トレイのオープン・クローズ等の指示を与えるための操作手段とを備え、制御手段は、データ読取手段及びデコーダによって、光ディスクの記録領域内に記録された映像の圧縮データに基づく映像信号の再生が行われていない状態で、操作手段による操作が一定時間以上行われないと、記憶手段からスクリーンセーバ用画像を読み込んで、このスクリーンセーバ用画像を出力手段により出力する光ディスク再生装置において、スクリーンセーバ用画像編集手段は、光ディスクから、スクリーンセーバ用画像の元データと、画像編集用のパラメタを格納したテキストファイルの内容とをデータ読取手段により読み取って、このスクリーンセーバ用画像の元データと画像編集用のパラメタの値とに基づいて、オリジナルなスクリーンセーバ用画像を編集するようにしたものである。
【０００８】
請求項３の発明は、請求項２に記載の光ディスク再生装置において、画像編集用のパラメタは、スクリーンセーバ用画像の背景色、動き、及び大きさのパラメタであるものである。
【発明の効果】
【０００９】
請求項１の発明によれば、光ディスクから、スクリーンセーバ用画像の元データと、スクリーンセーバ用画像の背景色、動き、及び大きさのパラメタを格納したテキストファイルの内容とを読み取って、このスクリーンセーバ用画像の元データとテキストファイル内のパラメタの値とに基づいて、オリジナルなスクリーンセーバ用画像を編集するようにした。これにより、光ディスクに、スクリーンセーバ用画像の元データと、スクリーンセーバ用画像の背景色、動き、及び大きさのパラメタを格納したテキストファイルとを書き込んでおいて、スクリーンセーバ用画像の作成モード時に、この光ディスクをデータ読取手段により読み取らせるだけの簡単な操作で、スクリーンセーバ用画像の大きさや、背景色や、動きを任意に変更することができる。従って、真にオリジナルなスクリーンセーバ用画像を容易に作成することができる。
【００１０】
請求項２の発明によれば、光ディスクから、スクリーンセーバ用画像の元データと、画像編集用のパラメタを格納したテキストファイルの内容とを読み取って、このスクリーンセーバ用画像の元データと画像編集用のパラメタの値とに基づいて、オリジナルなスクリーンセーバ用画像を編集するようにした。これにより、光ディスクに、スクリーンセーバ用画像の元データと、画像編集用のパラメタを格納したテキストファイルとを書き込んでおいて、この光ディスクをデータ読取手段により読み取らせるだけの簡単な操作で、オリジナルなスクリーンセーバ用画像を容易に作成することができる。
【００１１】
請求項３の発明によれば、上記の画像編集用のパラメタを、スクリーンセーバ用画像の背景色、動き、及び大きさのパラメタとしたことにより、上記請求項１と同等の効果を得ることができる。
【発明を実施するための最良の形態】
【００１２】
本発明を実施するための最良の形態について図面を参照して説明する。本発明は、光ディスクの記録領域内に記録された映像、音声等の圧縮データに基づいて、映像信号や音声信号を再生する光ディスク再生装置に関するものであり、オリジナルなスクリーンセーバ用画像を容易に作成することができるようにしたものである。なお、以下に記載した実施形態は、本発明を網羅するものではなく、本発明は、下記の形態だけに限定されない。
【００１３】
図１は、本実施形態による光ディスク再生装置の電気的ブロック構成を示す。この光ディスク再生装置１は、トレイに装着されたＤＶＤ（Digital Versatile Disc）２を回転駆動するスピンドルモータ３、ＤＶＤ２に記録されている情報をＲＦ信号の形式で出力する光ピックアップ４（データ読取手段）、光ピックアップ４から出力されたＲＦ信号の２値化処理等を行うＲＦ回路５、及びＲＦ回路５による処理後のデータに対してデータ復調や誤り訂正等のデコード処理を施すデータデコーダ６を備えている。また、光ディスク再生装置１は、データデコーダ６でデコード処理が施されたデータを映像圧縮データと音声圧縮データとに振り分けるデマルチプレクサ７、映像圧縮データを復号するビデオデコーダ８、及び音声圧縮データを復号するオーディオデコーダ９を備えている。なお、請求項におけるデコーダは、主に上記のデータデコーダ６とビデオデコーダ８とオーディオデコーダ９とから構成される。
【００１４】
図中のＤ／Ａ変換処理部１０は、ビデオデコーダ８やオーディオデコーダ１０によりデコードされたデジタル形式の映像信号や音声信号を、アナログ形式の映像信号や音声信号に変換する。また、ビデオ出力端子１１とオーディオ出力端子１２とは、Ｄ／Ａ変換処理部１０から送られた映像信号と音声信号とを液晶ディスプレイ３６に出力する。これらの出力端子１１、１２は、請求項における出力手段に相当する。
【００１５】
また、光ディスク再生装置１は、装置全体の制御を行う制御部２０（制御手段）、及び装置本体に対して再生・停止等の指示や各種の設定を行うためのリモコン３０を有している。制御部２０には、上記のスピンドルモータ３、ＲＦ回路５、データデコーダ６、デマルチプレクサ７、ビデオデコーダ８、及びオーディオデコーダ９に加えて、スクリーンセーバ用画像編集プログラム２６（以下、編集プログラムと略す）やスクリーンセーバ用画像２７等の各種データを格納したＲＡＭ２１（記憶手段）、制御部２０に再生、停止等の指示を与えるための操作部２２、各種のメッセージを表示する表示部２３、レジューム情報等のデータを一時的に記憶するバッファ２４、及びリモコン３０から送信された赤外線信号を受信する赤外線信号受信部２５が接続されている。上記のリモコン３０及び操作部２２が請求項における操作手段に相当する。また、請求項におけるスクリーンセーバ用画像編集手段は、主に上記の制御部２０と編集プログラム２６とから構成されている。
【００１６】
上記のリモコン３０は、各種のキーからなるキー部３１と赤外線信号発信部３２とを有している。キー部３１には、電源キー３３、数字入力用のキー、及びカーソル移動キーに加えて、制御部２０にトレイのオープン・クローズの指示を与えるためのオープン・クローズキー３４と、装置のモードを切り換えるためのモード切換キー３５（モード切換手段）とが配設されている。このモード切換キー３５により切り換え可能なモードには、ビデオデコーダ８とオーディオデコーダ９とにより再生された映像信号と音声信号とを出力する通常モードと、スクリーンセーバ用画像の作成モード（以下、スクリーンセーバ作成モードという）とがある。
【００１７】
次に、図２のフローチャートを参照して、上記のスクリーンセーバ作成モード時における光ディスク再生装置１の処理について説明する。上記の通常モード時に、ユーザによりリモコン３０のモード切換キー３５が押下されると、制御部２０は、装置のモードをスクリーンセーバ作成モードに切り換えて（Ｓ１でＹＥＳ）、不図示のトレイをオープンする（Ｓ２）。そして、ユーザが、スクリーンセーバ用画像の元データと、スクリーンセーバ用画像の背景色、動き、及び大きさのパラメタを格納したテキストファイルとを書き込んだＤＶＤ２をトレイに載せて、リモコン３０のオープン・クローズキー３４を押下すると（Ｓ３でＹＥＳ）、制御部２０は、トレイをクローズして（Ｓ４）、ＤＶＤ２から、スクリーンセーバ用画像の元データと、スクリーンセーバ用画像の背景色、動き、及び大きさのパラメタを格納したテキストファイルの内容とを読み込んで（Ｓ５）、このスクリーンセーバ用画像の元データとテキストファイル内のパラメタとを上記の編集プログラム２６に引き渡して、編集プログラム２６を実行し、スクリーンセーバ用画像の編集処理を行う（Ｓ６）。
【００１８】
上記の編集処理が成功すると（Ｓ７でＹＥＳ）、制御部２０は、ＲＡＭ２１内のスクリーンセーバ用画像２７の内容を、上記の編集処理で編集したスクリーンセーバ用画像の内容に書き換える。
【００１９】
次に、図３を参照して、上記のテキストファイル内のデータについて説明する。テキストファイル４０内の１行目には、スクリーンセーバ用画像の背景色のパラメタである第１パラメタ４１と改行記号４４が格納されている。例えば、この第１パラメタ４１の値が１、２、３であるときには、それぞれ黒、青、緑の背景色が液晶ディスプレイ３６上に表示される。テキストファイル４０内の２行目には、スクリーンセーバ用画像の動きのパラメタである第２パラメタ４２と改行記号４４が格納されている。例えば、この第２パラメタ４２の値が１であるときには、スクリーンセーバ用画像が左から右へ動き、２であるときには、スクリーンセーバ用画像が静止したままであり、３であるときには、スクリーンセーバ用画像が円を描くように回転する。また、テキストファイル４０内の３行目には、スクリーンセーバ用画像の大きさのパラメタである第３パラメタ４３と改行記号４４が格納されている。例えば、この第３パラメタ４３の値が１、２、３であるときには、スクリーンセーバ用画像がそれぞれ全画面サイズ、２分の１サイズ、４分の１サイズで液晶ディスプレイ３６上に表示される。なお、ユーザは、ワードパッド等のエディタを用いて、テキストファイル４０内に第１乃至第３パラメタ４１乃至４３や改行記号４４を入力する。
【００２０】
次に、上記図３に加えて図４のフローチャートを参照して、上記図２のＳ６に示されるスクリーンセーバ用画像の編集処理について詳述する。制御部２０は、上記図２のＳ５の処理で読み込んだ（スクリーンセーバ用画像の元データとなる）画像ファイルの数が１つで（Ｓ１１でＹＥＳ）、この画像ファイルの大きさがＲＡＭ２１に格納された所定値を超えず、しかも、図３に示される第１乃至第３パラメタ４１乃至４３の値が全て１、２、３のいずれかである場合には（Ｓ１２〜Ｓ１４の全てでＹＥＳ）、スクリーンセーバ用画像の背景色、動き、及び大きさの編集処理を実行する。具体的には、制御部２０は、図３に示される第１パラメタ４１の値に基づいて、スクリーンセーバ用画像の背景色を編集する（Ｓ１５）。また、制御部２０は、第２パラメタ４２の値に基づいて、スクリーンセーバ用画像の動きを編集する（Ｓ１６）。さらにまた、制御部２０は、第３パラメタ４３の値に基づいて、スクリーンセーバ用画像の大きさを編集する（Ｓ１７）。これに対して、制御部２０は、上記図２のＳ５の処理で読み込んだ画像ファイルの数が１つ以外であるか（Ｓ１１でＮＯ）、この画像ファイルの大きさがＲＡＭ２１に格納された所定値を超えているか、又は、図３に示される第１乃至第３パラメタ４１乃至４３の値のいずれかが１、２、３以外である場合には（Ｓ１２〜Ｓ１４のいずれかでＮＯ）、エラー表示処理を行って（Ｓ１８）、当処理を終える。なお、制御部２０は、編集プログラム２６内の命令に従って、上記Ｓ１１乃至Ｓ１８の処理を行う。
【００２１】
次に、図５のフローチャートを参照して、この光ディスク再生装置１におけるスクリーンセーバ用画像の表示処理について説明する。制御部２０は、図１に示される光ピックアップ４やビデオデコーダ８等によって、ＤＶＤ２の記録領域内に記録された映像の圧縮データに基づく映像信号の再生が行われていない状態で、リモコン３０又は操作部２２による操作が一定時間以上行われないと（Ｓ２１でＹＥＳ）、ＲＡＭ２１からスクリーンセーバ用画像２７を読み込んで、このスクリーンセーバ用画像２７をビデオ出力端子１１から液晶ディスプレイ３６側に出力する（Ｓ２２）。
【００２２】
上述したように、本実施形態の光ディスク再生装置１によれば、ＤＶＤ２から、スクリーンセーバ用画像の元データと、スクリーンセーバ用画像の背景色、動き、及び大きさのパラメタを格納したテキストファイル４０の内容とを読み取って、このスクリーンセーバ用画像の元データとテキストファイル４０内の第１乃至第３パラメタ４１乃至４３の値とに基づいて、オリジナルなスクリーンセーバ用画像を編集するようにした。これにより、ユーザは、ＤＶＤ２に、スクリーンセーバ用画像の元データと、スクリーンセーバ用画像の背景色、動き、及び大きさのパラメタを格納したテキストファイル４０とを書き込んでおいて、スクリーンセーバ用画像の作成モード時に、このＤＶＤ２をトレイにセットするだけの簡単な操作で、スクリーンセーバ用画像の大きさや、背景色や、動きを任意に変更することができる。従って、真にオリジナルなスクリーンセーバ用画像を容易に作成することができる。
【００２３】
なお、本発明は、上記実施形態に限られるものではなく、様々な変形が可能である。例えば、本実施形態では、リモコン３０にモード切換キー３５を設けて、通常モード時に、ユーザによりモード切換キー３５が押下されると、制御部２０が、装置のモードをスクリーンセーバ作成モードに切り換えるようにしたが、スクリーンセーバ用画像の元データとテキストファイルとが書き込まれたＤＶＤの管理情報のエリアに識別コードを書き込んでおいて、制御部が、この識別コードをＤＶＤから読み込むと、自動的に装置のモードをスクリーンセーバ作成モードに切り換えるようにしてもよい。また、テキストファイル内に格納されるスクリーンセーバ用画像の編集用のパラメタは、画像の背景色、動き、及び大きさのパラメタに限られない。さらにまた、本発明の適用対象となる光ディスク再生装置は、ＤＶＤプレーヤに限られず、ＤＶＤレコーダでもよいし、ＣＤプレーヤ等であってもよい。
【図面の簡単な説明】
【００２４】
【図１】本発明の一実施形態に係る光ディスク再生装置の電気的ブロック構成図。
【図２】上記光ディスク再生装置におけるスクリーンセーバ作成モード時の処理のフローチャート。
【図３】図２中のＳ５の処理で読み込まれるテキストファイル内のデータを示す図。
【図４】図２中のＳ６のスクリーンセーバ用画像編集処理のフローチャート。
【図５】上記光ディスク再生装置におけるスクリーンセーバ用画像の表示処理のフローチャート。
【符号の説明】
【００２５】
１    光ディスク再生装置
２    ＤＶＤ（光ディスク）
４    光ピックアップ（データ読取手段）
６    データデコーダ（デコーダ）
８    ビデオデコーダ（デコーダ）
９    オーディオデコーダ（デコーダ）
１１  ビデオ出力端子（出力手段）
１２  オーディオ出力端子（出力手段）
２０  制御部（制御手段、スクリーンセーバ用画像編集手段）
２１  ＲＡＭ（記憶手段）
２２  操作部（操作手段）
２６  スクリーンセーバ用画像編集プログラム（スクリーンセーバ用画像編集手段）
２７  スクリーンセーバ用画像
３０  リモコン（操作手段）
３５  モード切換キー（モード切換手段）
４０  テキストファイル
４１  第１パラメタ（背景色のパラメタ、画像編集用のパラメタ）
４２  第２パラメタ（動きのパラメタ、画像編集用のパラメタ）
４３  第３パラメタ（大きさのパラメタ、画像編集用のパラメタ）
【図１】
2005341169.tif 000003
【図２】
2005341169.tif 000004
【図３】
2005341169.tif 000005
【図４】
2005341169.tif 000006
【図５】
2005341169.tif 000007